(57)【特許請求の範囲】
【請求項１】
インバート部に連通する流入口部と流出口部を形成しかつ上部に掃除口を開口した汚水桝本体を備え、
前記流入口部の内周面にこの流入口部に嵌挿された排水管の外周面に圧接して液密に保持するシール材の嵌合溝を環状に形成し、
前記流入口部の内周奥端部には、この流入口部に嵌挿接続される排水管の先端が当接するストッパー段部をこの流入口部の内周奥端部の最下点位置よりも上方に離間した位置から上部に円周方向に突設し、
このストッパー段部に隣接してこのストッパー段部を形成した範囲に排水管の外周面に当接する複数個の保持片を突設した
ことを特徴とする汚水桝。
【発明の詳細な説明】
【０００１】
【発明の属する技術分野】
本発明は、下水道などの排水管路に設置される汚水桝に関する。
【０００２】
【従来の技術】
従来、汚水桝の流入口部とこの流入口部に嵌挿される排水管との接合部は同材質、例えば、汚水桝と排水管とが塩化ビニール樹脂にて成形されているときには接着剤により接着して汚水が漏洩することがないようにしている。
【０００３】
しかしながら、地震などの地盤の変動が大きく生じた際、或いは熱収縮が生じた場合には、汚水桝の流入口部と排水管との接着部が伸縮できないために、この接着部が破壊されるおそれがある。
【０００４】
このような汚水桝と排水管との接合部の破壊を防止するため、汚水桝の流入口部の内周面に排水管の外周面に圧接する環状シール材を設け、排水管に加わるスラスト荷重を吸収することができる汚水桝が知られている。
【０００５】
そして、上記構造の汚水桝では、環状シール材が外周面に圧接されている排水管は、地震などによって生じるスラスト荷重、熱収縮などによって、排水管が管軸方向に抜ける方向に移動できるようになっている。
【０００６】
【発明が解決しようとする課題】
しかしながら、従来の汚水桝の流入口部の奥端には排水管の先端が当接するストッパー段部が形成されており、排水管が抜け方向に移動したとき、排水管の先端と流入口部のストッパー段部との間に凸状の間隔が生じ、このストッパー段部によって汚物溜まりができ、汚物が滞留して汚水桝が詰まる原因となる問題点がある。
【０００７】
本発明は、上記問題点に鑑みなされたもので、汚水桝の流入口部に嵌挿接続される排水管が抜け方向に移動しても、汚水桝の流入口部と排水管の先端との間に汚物溜まりができない汚水桝を提供するものである。
【０００８】
【課題を解決するための手段】
請求項１に記載の発明の汚水桝は、インバート部に連通する流入口部と流出口部を形成しかつ上部に掃除口を開口した汚水桝本体を備え、前記流入口部の内周面にこの流入口部に嵌挿された排水管の外周面に圧接して液密に保持するシール材の嵌合溝を環状に形成し、前記流入口部の内周奥端部には、この流入口部に嵌挿接続される排水管の先端が当接するストッパー段部をこの流入口部の内周奥端部の最下点位置よりも上方に離間した位置から上部に円周方向に突設し、このストッパー段部に隣接してこのストッパー段部を形成した範囲に排水管の外周面に当接する複数個の保持片を突設したものである。
【０００９】
そして、汚水桝本体の各流入口部に排水管を接続するとき、排水管の先端が流入口部の内周奥端部の円周方向に当接するまで挿入することにより排水管先端とストッパー段部との間に間隙が形成されないので、汚物溜りが形成されることなく、排水管の接続が確実にできるとともに排水管の外周面は複数個の保持片によって挟持されて排水管は確実に流入口部に保持される。
【００１０】
また、地震または熱収縮によって排水管が抜け方向に移動した場合、流入口部の内周奥端部の最下部近傍にはストッパー段部が形成されていないため、排水管の先端下部とストッパー段部との間に汚物溜りが形成される凹部が形成されず、汚物が溜まることがなく汚水は円滑に流動される。
【００１１】
さらに、流入口部の内周面にこの流入口部に嵌挿された排水管の外周面に圧接して液密に保持するシール材の嵌合溝を環状に形成したので、排水管が管軸方向に移動してもシール材によって流入口部と排水管との液密性は保持される。
【００１２】
【発明の実施の形態】
本発明の実施の形態を図１ないし図４に基づいて説明する。
【００１３】
図１ないし図４において、10は塩化ビニール樹脂などの合成樹脂にて成形された汚水桝本体10で、この汚水桝本体10の内底部にてインバート部11が形成され、前記汚水桝本体10の両端側には前記インバート部11と連通する筒状の流入口部12と流出口部13とがそれぞれ略相対して形成されている。なお、このインバート部11は流入口部12から流出口部13に向って下方に傾斜されている。
【００１４】
また、前記汚水桝本体10の両側面には前記インバート部11と連通する流入口部12b ，12c が形成されている。
【００１５】
さらに、このインバート部11の上部にはこのインバート部11に連通する掃除口14が開口されている。
【００１６】
そして、前記各流入口部12，12b，12cは開口端から内周奥端部15に向って緩やかに拡径され、前記内周奥端部15にこの内周奥端部15の最下点Ｐを中心にして下部周辺を欠落し最下点位置よりも上方に離間した位置から上部に円周方向に突設したストッパー段部16が形成され、この各流入口部12，12b，12cにそれぞれ嵌挿された各排水管17は、その先端18がストッパー段部16に当接した状態で接続される。
【００１７】
さらに、図３および図４に示すように、前記ストッパー段部16に隣接して、このストッパー段部16の突設されている範囲、例えば、内周面上部と両側の３箇所に前記各排水管17の外周面に当接される複数個の保持片19が各流入口部12，12b ，12c の中心に向かって各排水管17が突設されている。
【００１８】
この複数個の保持片19は、各排水管17の外周面にそれぞれ当接挟持し、各排水管17が前記各流入口部12，12b ，12c に保持されている。
【００１９】
また、前記各流入口部12，12b ，12c の筒状の内周面の中間部より開口端寄りには、その内周面に沿ってゴムなどの弾性部材から構成される環状のシール材20を嵌着する嵌合溝21がそれぞれ環状に形成され、この嵌合溝21に嵌着したこのシール材20は、各流入口部12，12b ，12c に嵌挿接続した各排水管17の外周面に圧接するとともに各流入口部12，12b ，12c と各排水管17との間の接続部をそれぞれ液密に保持する。
【００２０】
さらに、この汚水桝本体10の上部に上向きに開口された前記掃除口14の上部には拡径された膨出部が形成され、この膨出部にて形成される内周溝23には液密用の環状のシール材24が嵌入され、図示しない立上がり接続管が前記掃除口14に挿嵌され、このシール材24によって液密に保持される。
【００２１】
なお、前記汚水桝本体10の底部25には一体に成形される台脚26が形成されている。
【００２２】
次に、この実施の形態の作用について説明する。
【００２３】
図１に示すように、汚水桝本体10に排水管17を接続する際には、排水管17の先端18を流入口部12，12b ，12c のいずれか一つまたは二つの内周奥端部15に形成したストッパー段部16に当接するまで挿入して接続する。
【００２４】
この状態で、ストッパー段部16に隣接してこのストッパー段部16が形成した範囲に突設した複数個の保持片19によって排水管17の外周面が当接挟持されるので、排水管17は流入口部12，12b ，12c のいずれの一つまたは二つがずれることなく保持され、また、流入口部12，12b ，12c の嵌合溝21に嵌着した環状のシール材20は排水管17の外周面にそれぞれ圧接され、排水管17と流入口部12，12b ，12c の一つまたは二つの接続部の液密が保持されている。
【００２５】
そして、図示しない上流側排水設備から流下する汚水は、排水管17から汚水桝本体10を経て下流側の流出口部13に流出される。
【００２６】
このとき、流入口部12，12b ，12c のいずれか一つまたは二つの排水管17との間の接続部には凹部、間隙が形成されないため、汚水桝本体10の流入口部12，12b ，12c に接続されている排水管17からインバート部11に汚水が合流し、この流入口部12，12b ，12c と排水管17との接続部に汚物が滞留することなく、インバート部11から流出口部13に円滑に流下される。
【００２７】
そして、各流入口部12，12b ，12c のいずれか一つまたは二つに接続されている排水管17は、嵌挿方向とは逆の抜け方向に移動できるように挿嵌されているが、各保持片19の圧接力によって排水管17のがたつきが阻止されている。
【００２８】
また、地震などによる地盤の変動が大きく生じた場合、或いは、熱収縮などによって汚水桝本体10の各流入口部12，12b ，12c のいずれか一つまたは二つと排水管17との接続部にスラスト荷重が掛ったとき、流入口部12，12b ，12c のいずれか一つまたは二つに嵌挿接続した排水管17は抜け方向に移動される。
【００２９】
このとき、流入口部12，12b，12cのいずれか一つまたは二つに接続した各排水管17の先端18が前記ストッパー段部16から離反し、さらに保持片19から離反した場合でも、前記ストッパー段部16は、内周奥端部15にこの流入口部の内周奥端部の最下点Ｐより上方に離間した位置から上部に円周方向に突設されるとともにこのストッパー段部16が形成されている範囲に突設する複数個の保持片19が配設してあるため、インバート部11に流入する汚物の流動障害となるような凹部が形成されないので、汚物が滞留して汚物溜まりを形成することがなく、インバート部11に向って下方にそれぞれの各流入口部12，12b，12cから緩行傾斜する流路を流れ、インバート部11から流出口部13に流出させる。
【００３０】
なお、掃除口14は図示しない立上がり管が接続され、立上がり管の上端には地上に設置される点検または掃除用の蓋体によって閉塞され、必要に応じて地上より蓋体を開き、この汚水桝本体10の点検、掃除ができるようになっている。
【００３１】
また、本発明の実施の形態では、インバート部11に連通する流入口部12，12b ，12c を汚水桝本体10の一端面と両側面に形成したが、インバート部11に連通する流入口部は１箇所ないし複数箇所適宜に形成することができる。
【００３２】
【発明の効果】
請求項１記載の発明によれば、流入口部の内周奥端部にこの流入口部の内周奥端部の最下点より上部に離間して上部にストッパー段部を形成した範囲内に保持片を突設したので、流入口部に接続される排水管が抜け方向に移動した場合、流入口部と排水管との間の接続部に凹部が形成されないため、汚物が滞留して汚物溜まりを形成することがなく、汚水が円滑にインバート部を経て流出口部に流下することができる。
【００３３】
また、ストッパー段部を形成した範囲に複数個の保持片を突設したので、この保持片により流入口部に嵌挿接続される排水管のがたつきを阻止することができる。
【００３４】
さらに、汚水桝本体の流入口部の内周奥端部にこの流入口部の内周奥端部の最下点より上方に離間した位置から上部に円周方向に突設されたストッパー段部を形成したので、このストッパー段部に流入口部に接続される排水管の先端が当接するまで挿入することができ、排水管の接続作業が容易にでき、確実に接続することができる。
【００３５】
また、流入口部に接続された排水管は、流入口部の内周面に形成した嵌合溝にシール材を嵌着してあるので、このシール材により流入口部と排水管との接続部の液密性が保持されるとともに排水管が管軸方向に移動しても流入口部と排水管との接続部の液密性を保持することができる。
【図面の簡単な説明】
【図１】本発明の実施の形態を示す汚水桝本体の縦断正面面である。
【図２】同上汚水桝本体の流入口部と排水管との接続部を示す拡大断面図である。
【図３】同上の側面図である。
【図４】同上図２のＡ−Ａ線縦断側面図である。
【符号の説明】
10    汚水桝本体
11    インバート部
12，12b ，12c   流入口部
13    流出口部
14    掃除口
15    内周奥端部
16    ストッパー段部
17    排水管
18    先端
19    保持片
20    シール材
21    嵌合溝
Ｐ    最下点
【図１】
0003876035.tif 000002
【図２】
0003876035.tif 000003
【図３】
0003876035.tif 000004
【図４】
0003876035.tif 000005